(57)【要約】【課題】  洗浄に用いる温水の確保が容易な環境または温暖な地域において、これらに必要な構成部品及びその機能を省略し、使用者に対して操作性がよく、かつ、安価なこと。【解決手段】  回転ダイヤル２１のみの回転及び移動を行うことにより、洗浄ノズル７６の先端部の噴射口７７から噴出方向７７ａまたは噴出方向７７ｂに添って洗浄水が噴出し、お尻洗浄位置Ａまたはビデ洗浄位置Ｂに洗浄水を噴射するものであり、回転ダイヤル２１のみの回転及び移動制御を行うものである。したがって、給水制御ボックス２０と給水制御弁３０は一体になっているから、回転ダイヤル２１のみの回転及び移動で制御が可能となり、操作が簡単であり、かつ、洗浄制御に使用する備品点数を少なくすることができる。更に、複雑な制御弁や電気回路を使用する必要がないので、人体局部洗浄装置としての部品点数も少なく製品の故障確立が小さくなり、信頼性も高くなる。【選択図】    図１
2006249671.tif 000002
【特許請求の範囲】
【請求項１】
便器に取り付けられて人体局部の洗浄に使用する人体局部洗浄装置において、
前記便器の上面後部に取り付けられ、人体局部洗浄に要する機器収容部の一部となるベース部材と、
前記ベース部材と共に前記機器収容部を構成する前記ベース部材の上方を囲う上部カバーと、
前記機器収容部の前方に装着された便座及び便蓋と、
前記ベース部材に対して所定範囲に移動可能に取り付けられ、洗浄水の噴射方向が略お尻洗浄位置と略ビデ洗浄位置に設定自在とした人体局部を洗浄する洗浄ノズルを有する洗浄ノズルユニットと、
前記洗浄ノズルユニットに供給する洗浄水を供給制御すると共に、前記ベース部材に対して所定範囲の移動を自在に取り付けた給水制御弁と、
前記給水制御弁の前記所定範囲の移動に連動して、前記洗浄ノズルを前記所定範囲に移動させる連結部材と
を具備してなることを特徴とする人体局部洗浄装置。
【請求項２】
前記給水制御弁及び／または前記洗浄ノズルの前記所定範囲の移動は、回転運動、円弧運動、直線運動の何れかとしたことを特徴とする請求項１に記載の人体局部洗浄装置。
【請求項３】
前記給水制御弁の前記所定範囲の移動は、弾性に抗してなされることを特徴とする請求項１または請求項２に記載の人体局部洗浄装置。
【発明の詳細な説明】
【技術分野】
【０００１】
本発明は、人体局部を洗浄して、衛生的、かつ、快適とする人体局部洗浄装置に関するものである。
【背景技術】
【０００２】
図９は従来の人体局部洗浄装置を用いたトイレを示す斜視図である。
【０００３】
図９において、人体局部洗浄装置２は所定の便鉢１ａのサイズからなる便器１の上に配置されている。便蓋３と便座４は、洗浄水タンク８付近の後部で回動自在に取付けられている。また、洗浄水タンク８付近の後部には、洗浄ノズルユニット６の取り付けによって、お尻洗浄ノズル６ａとビデ洗浄ノズル６ｂが配設されている。
【０００４】
コントローラ５は、人体局部洗浄装置２のお尻洗浄ノズル６ａとビデ洗浄ノズル６ｂに供給する洗浄水の水路開閉電磁弁を制御し、お尻洗浄ノズル６ａとビデ洗浄ノズル６ｂを切り替える操作スイッチ５ａ，５ｂ、洗浄水の噴射水流を決定する調整器７、他にヒータ及び温度調節器等を有するもので、人体局部洗浄装置２の側部後方に配設されている。
【０００５】
このように、従来の人体局部洗浄装置２は、水路開閉電磁弁、操作スイッチ５ａ，５ｂ、他にヒータ及び温度調節器等の電気制御回路を使用していたことから、部品点数が多く、構成部品のコストが高価になっていた。また、操作性においても、部品点数が多いことが原因となって制御が複雑になってしまうこともあった。
【０００６】
そして、従来の人体局部洗浄装置２は、特許文献１に示すように、お尻洗浄とビデ洗浄において各々異なった専用のお尻洗浄ノズル６ａとビデ洗浄ノズル６ｂを装備しているものが多く、簡単に局部洗浄を行うだけで充分な場合でも、不必要な構成部品が加わった洗浄機能を有しているために、本来であれば不必要な操作が必要となり、取り扱い難く、製品が高価になる要因となっている。
【特許文献１】特開平４−２１３６３６
【発明の開示】
【発明が解決しようとする課題】
【０００７】
従来の人体局部洗浄装置２は、特に、ホテルや浴室、シャワールーム等の施設内のトイレに人体局部洗浄装置２を施設する場合でも、一般の民家のトイレに人体局部洗浄装置２を設置する場合でも、人体局部洗浄装置２の構成上の変化はなかった。
【０００８】
即ち、従来の人体局部洗浄装置２は、例えば、ホテルの浴室内のトイレにおいては、温水が室内まで来ているにもかかわらず、人体局部洗浄装置２自体に湯沸かし器の機能を有しているという不必要な構成部品による無駄な機能を具備し、それによって、取り扱い難くし、かつ、製品が高価になるという要因になっていた。
【０００９】
そこで、本発明はこれらの問題点を解消すべく、洗浄に用いる温水の確保が容易な環境または温暖な地域において、これらに必要な構成部品及びその機能を省略し、使用者に対して操作性がよく、かつ、安価な人体局部洗浄装置の提供を課題とするものである。
【課題を解決するための手段】
【００１０】
請求項１にかかる人体局部洗浄装置の人体局部洗浄装置は、少なくとも、便器の上面後部に取り付けられ人体局部洗浄に要する機器収容部となるベース部材及びその上部カバーと、前記ベース部材に対して所定範囲に移動可能に取り付けられ、前記ベース部材に対して所定範囲に移動可能に取り付けられ、洗浄水の噴射方向が略お尻洗浄位置と略ビデ洗浄位置に設定自在とした人体局部を洗浄する洗浄ノズルを有する洗浄ノズルユニットと、前記洗浄ノズルユニットに供給する洗浄水を供給制御すると共に、前記ベース部材に対して所定範囲の移動を自在に取り付けた給水制御弁と、前記給水制御弁の前記所定範囲の移動に連動して、前記洗浄ノズルを前記所定範囲に移動させる連結部材を具備するものである。
【００１１】
ここで、前記機器収容部は、少なくともベース部材及びその上部カバーからなり、便器の上面後部に取り付けられるベース部材を有するものであり、上部カバーはその上面を覆うものであればよい。
【００１２】
また、前記洗浄ノズルユニットは、人体局部を洗浄する洗浄ノズルを有し、また、前記ベース部材に対して所定範囲に移動可能に取り付けられておればよい。
【００１３】
そして、前記給水制御弁は、記洗浄ノズルユニットに供給する洗浄水を機械的に供給制御すると共に、前記ベース部材に対して所定範囲の移動を自在とする取り付けを行っているものであればよい。
【００１４】
更に、前記洗浄ノズルを前記所定範囲に移動させる連結部材は、前記給水制御弁の前記所定範囲の移動に連動して、直接または間接的に前記洗浄ノズルを移動させるものであればよい。
【００１５】
請求項２にかかる人体局部洗浄装置の前記給水制御弁及び／または前記洗浄ノズルの前記所定範囲の移動は、回転運動、円弧運動、直線運動の何れかとしたものであればよい。
【００１６】
請求項３にかかる人体局部洗浄装置の前記給水制御弁の前記所定範囲の移動は、弾性に抗してなされるものであればよい。
【発明の効果】
【００１７】
請求項１にかかる人体局部洗浄装置は、便器の上面に取り付けられたベース部材及びその上部カバーからなる機器収容部と、前記ベース部材に対して所定範囲に移動可能に取り付けられた人体局部を洗浄する洗浄ノズルと、先端付近が略お尻洗浄位置と略ビデ洗浄位置に設定し、前記ベース部材に対して所定範囲に移動可能に取り付けられた人体局部を洗浄する洗浄ノズルを有する洗浄ノズルユニットと、前記洗浄ノズルユニットに供給する洗浄水を供給制御すると共に、前記ベース部材に対して所定範囲の移動を自在に取り付けた給水制御弁と、前記給水制御弁の前記所定範囲の移動に連動して、前記洗浄ノズルを前記所定範囲に移動させる連結部材を具備し、前記洗浄ノズルの移動する前記所定範囲の先端付近が略お尻洗浄位置と略ビデ洗浄位置に設定したものである。
【００１８】
したがって、従来使用されていた電気的な給水制御弁や電気的操作スイッチ等が不要となり、そのため関連する電気制御回路や電源回路等も不要になり安価な人体局部洗浄装置を提供することができる。また、複雑な制御弁や電気回路を使用する必要がないので、人体局部洗浄装置としての部品点数も少なく製品の故障確立が小さくなり、信頼性も高くなる。そして、お尻洗浄とビデ洗浄の選択を、洗浄操作に必要な給水制御弁に連動させて、前記洗浄ノズルに供給する洗浄水を制御するものであるから、待機動作や待機時間がほとんどなく確実に選択操作することができる。
【００１９】
請求項２にかかる人体局部洗浄装置の前記給水制御弁及び／または前記洗浄ノズルの前記所定範囲の移動は、回転運動、円弧運動、直線運動の何れかとしたものである。したがって、請求項１の効果に加えて、前記洗浄ノズルは、回転運動、円弧運動、直線運動の何れかによって、使用状態の位置と格納状態の位置を確保することができ、それだけ設計自由度が高くなる。
【００２０】
請求項３にかかる人体局部洗浄装置の前記給水制御弁の前記所定範囲の移動は、弾性に抗してなされるものであるから、請求項１または請求項２の効果に加えて、弾性の復元力によって給水制御弁の初期位置への復帰が容易になり、かつ、初めての使用であっても、間違いなく初期位置に設定できる。
【発明を実施するための最良の形態】
【００２１】
次に、本発明の実施の形態の人体局部洗浄装置について、図を用いて説明する。なお、本実施の形態２以降において、実施の形態１と同一記号または同一符号は、上記実施の形態１と同一または相当する構成部分を示すものであるから、その詳細な説明を省略し、主に相違点のみ説明する。
【００２２】
［実施の形態１］
図１は本発明の実施の形態１の人体局部洗浄装置を取り付けたトイレ装置の側面図、図２は同じく図１の平面図を示す。図３は本発明の実施の形態１の人体局部洗浄装置の側面図であり、図４は同じく図３の平面図である。図５は本発明の実施の形態１の人体局部洗浄装置のお尻洗浄状態を示す説明図、図６は本発明の実施の形態１の人体局部洗浄装置のビデ洗浄状態を示す説明図である。図７は本発明の実施の形態１の人体局部洗浄装置で使用する給水制御弁の内部構造を示した説明図である。
【００２３】
図１乃至図４において、便器１は公知または専用のもので人体局部洗浄装置２は便器１の上に配置されている。人体局部洗浄に要する機器を収容する機器収容部１０は、上部カバー１２及びベース部材１１からなり、ベース部材１１は直接便器１の上面に載置され、上部カバー１２はそのベース部材１１の上面を覆うように配置されている。また、便蓋３と便座４は、機器収容部１０付近に回動自在に取付けられている。
【００２４】
また、機器収容部１０のベース部材１１には、給水制御ボックス２０、回転ダイヤル２１、洗浄ノズルユニット７０が設けられ、給水制御ボックス２０と洗浄ノズルユニット７０との間には連結部材８０が配設されている。また、ベース部材１１の上方は上部カバー１２で覆われている。
【００２５】
図５乃至図７において、下部にベース部材１１に固着した案内レール２２と嵌合する溝を有し、その案内レール２２の長さ方向に摺動自在な略直方体形状の箱体からなる給水制御ボックス２０は、給水制御弁３０を内蔵し、給水制御弁３０を内部に一体に固着し、給水制御ボックス２０と給水制御弁３０とが摺動移動するように構成されている。なお、本実施の形態では、給水制御弁３０の移動を給水制御ボックス２０に委ねているが、本発明を実施する場合には、給水制御ボックス２０を排除し、直接給水制御弁３０が案内レール２２方向に移動するようにしてもよい。
【００２６】
給水制御弁３０は、図７に示すように、洗浄水の供給を受ける給水口３１、全体を形成するボディ３２、給水を制御して洗浄水を出力する給水出口３９、後述する戻しバネ４１の中心軸に位置して戻しバネ４１の弾性方向を特定するバネ案内棒３３、また、連結部材８０の一部として機能する給水制御弁側クランク８１をガイドするクランク案内溝３４を有している。そして、給水圧の上昇に対応して流量を制限する流量安定装置３５が給水口３１側に配設されている。回転ダイヤル２１によって回転する二一ドル３６、その二一ドル３６に対応する弁座３７が給水出口３９側に配設されている。なお、回転ダイヤル２１は給水制御弁３０の回転軸３８の端部に固着されている。この回転ダイヤル２１は、左回転により、二一ドル３６と弁座３７との間が開口し、給水出口３９から洗浄水が出力される。
【００２７】
給水制御弁３０と一体となった給水制御ボックス２０は、２本の案内レール２２に沿って移動可能に取り付けられ、ベース部材１１に固着されたバネ受け４３との間に配設した戻しバネ４１の弾性力によって、後方に付勢され、通常状態で略コ字状、略Ｌ字状に形成した位置決め板４４に当接している。また、案内レール２２の前方の位置決め突起２３は、ビデ洗浄時に給水制御ボックス２０の前面移動を拘束すべく当接するストッパとして機能する。
【００２８】
したがって、回転ダイヤル２１によって給水制御ボックス２０を戻しバネ４１の弾性に抗して前方に移動することができ、また、回転ダイヤル２１の外力を解くと戻しバネ４１の弾性によって後方に移動し、位置決め板４４に当接して停止する。通常状態では、給水制御ボックス２０が位置決め板４４に当接した状態となる。
【００２９】
即ち、給水制御弁３０は、洗浄ノズルユニット７０に供給する洗浄水を供給制御すると共に、ベース部材１１に対して所定範囲の移動を自在に取り付けたものである。戻しバネ４１の弾性の復元力によって給水制御弁３０の初期位置への復帰が容易になり、かつ、初めての使用であっても、間違いなく初期位置に戻すことができる。
【００３０】
なお、戻しバネ４１の弾性方向を特定するバネ案内棒３３は、バネ受け４３を貫通することで、給水制御ボックス２０が２本の案内レール２２から浮上したり、離脱したりするのを防止している。
【００３１】
洗浄ノズルユニット７０は、最大径のシリンダ７２に収容したピストン７４が洗浄ノズル７６に連結されており、ピストン７４が洗浄ノズル７６と共に給水口７１から供給される水圧によって前進し、シリンダ７２の先端に位置するシリンダ円錐部７２ａがピストン円錐部７４ａに当接することにより移動が停止される。このとき、シリンダピストン７４の先端に位置するシリンダ円錐部７２ａがピストン円錐部７４ａに当接した洗浄ノズル７６の突出した噴射口７７の位置が、お尻洗浄時の位置となる。
【００３２】
給水口７１から供給される水圧が断たれると、水圧の低減によって戻しバネ７５の弾性力が当該水圧に勝り、シリンダ円錐部７２ａがピストン円錐部７４ａから離れ、戻しバネ７５の弾性力によって収納位置に戻る。これによって、ピストン７４が洗浄ノズル７６を引き込む。
【００３３】
なお、可撓性に富む材料からなる接続ホース６９は、給水出口３９と給水口７１に連結されており、給水口７１から供給される水圧の制御は、回転ダイヤル２１によってなされる。
【００３４】
また、シリンダ７２の中央付近は、ベース部材１１に堅固に固着された支持枠６８に配設された回転軸７９によって軸支され、シリンダ７２は回動自在になっている。また、シリンダ７２の軸支された回転軸７９の上部側には、シリンダ７２の長さ方向に所定の幅だけ均一間隔を設けた上部フック部７３が配設されており、給水制御ボックス２０の直線運動をシリンダ７２の上部フック部７３を介して、洗浄ノズル７６の角度を２位置間で選択可能となっている。
【００３５】
連結部材８０は、端部がクランク案内溝３４を上下往復動する給水制御弁側クランク８１と、直線部分からなる直線支持部８２と、端部が上部フック部７３の間隔に嵌まり込む洗浄ノズル側クランク８３及び直線支持部８２を軸支するベース部材１１に堅固に取り付けられた軸支持部材８４，８５で構成されている。
【００３６】
したがって、クランク案内溝３４が前後方向に移動すると、給水制御弁側クランク８１が直線支持部８２を中心に所定の角度回動し、その回動は洗浄ノズル側クランク８３の回動角度となる。洗浄ノズル側クランク８３の回動は、シリンダ７２の上部フック部７３を介して、洗浄ノズル７６の角度の変位となる。即ち、給水制御ボックス２０の直線運動は、シリンダ７２の上部フック部７３を介して、洗浄ノズル７６の角度を変位となっている。
【００３７】
即ち、連結部材８０は、給水制御弁３０の所定範囲の移動に連動して、洗浄ノズル７６を前記所定範囲に移動させるものである。
【００３８】
更に、ベース部材１１には、シリンダ受け部１６が堅固に配設されており、その上面は、洗浄ノズルユニット７０のシリンダ７２の下部側に当接し、お尻洗浄時のシリンダ７２の角度を保持するようになっている。洗浄水の噴射方向７７ａを示す洗浄位置は、使用者のお尻洗浄位置Ａを、同様に、洗浄水の噴射方向７７ｂはビデ洗浄位置Ｂを示している。
【００３９】
このように、シリンダ７２、ピストン７４、戻しバネ７５、洗浄ノズル７６等は、ベース部材１１に対して所定範囲に移動可能に取り付けられ、洗浄水の噴出方向７７ａ，７７ｂが略お尻洗浄位置Ａと略ビデ洗浄位置Ｂに設定自在とした人体局部を洗浄する洗浄ノズル７６を有する洗浄ノズルユニット７０を構成する。
【００４０】
次に、本発明の実施の形態１の人体局部洗浄装置２の動作について説明する。
【００４１】
図１乃至図６において、使用者が便座４に着座し、回転ダイヤル２１を前方に移動させない状態で、左回転させると、図７にあるように二一ドル３６が開き、給水口３１からの供給水が内部水路を経て流量安定装置３５を経由して弁座３７との間隙を通過して給水出口３９に至る。
【００４２】
次に、接続ホース６９を通過して給水口７１を経由して、シリンダ７２内に流れ込み、シリンダ７２の内圧でピストン７４を前方に移動し、ピストン円錐部７４ａがシリンダ円錐部７２ａに当接して、洗浄ノズル７６の先端部の噴射口７７から噴出方向７７ａに添って洗浄水が噴出し、お尻洗浄位置Ａに到達する。
【００４３】
次に、ビデ洗浄の場合は、図６に示すように、使用者が回転ダイヤル２１を握った状態で前方に移動すると、給水制御弁３０の給水制御ボックス２０が戻しバネ４１に抗しながら移動し、案内レール２２の前方の位置決め突起２３に当接する。このとき、クランク案内溝３４が給水制御弁側クランク８１を前方に回動させるので、洗浄ノズル側クランク８３が上部フック部７３を回動し、洗浄ノズルユニット７０全体が回転軸７９を軸心として所定の前傾状態となる。この場合、使用者は回転ダイヤル２１の回転及び前方への移動を止める押圧力はビデ洗浄を行っている間、手で保持し続けることになる。
【００４４】
しかし、本発明を実施する場合には、回転ダイヤル２１を前方の所定位置に移動したとき、ラッチ機構によって一時的に固定し、回転ダイヤル２１の回転軸３８方向の押圧等によって、そのラッチが外れるように構成することもできる。
【００４５】
［実施の形態２］
図８は本発明の実施の形態２の人体局部洗浄装置のお尻洗浄状態及びビデ洗浄状態を示す説明図である。
【００４６】
図８において、給水制御ボックス２０、給水制御弁３０、回転ダイヤル２１、洗浄ノズルユニット７０等の構成は、上記実施の形態１と基本的に同一である。
【００４７】
給水制御ボックス２０の側面には、下部にギアが形成された給水制御ボックス２０に沿ってラック１０１が取り付けられている。ラック１０１は給水制御ボックス２０の移動方向に平行する配置となっている。
【００４８】
ラック１０１は直線軸１０３の端部に設けられたピニオン１０２と噛み合っている。直線軸１０３はベース部材１１に堅固に固着された２個の軸支持部材１０５，１０６で軸支されている。直線軸１０３の反対側には同様にピニオン１０４が取り付けられている。ピニオン１０２は、洗浄ノズルユニット７０のシリンダ７２に一体に取り付けられた案内板１２２の裏面にあるラック２２０と噛み合うように配設されている。
【００４９】
この案内板１２２は、ベース部材１１に堅固に固着された支持部材１２４に設けられた４個のスライド部材１２３によって、シリンダ７２の軸方向に移動自在に保持されている。また、お尻洗浄位置Ａの洗浄ノズル７６からは、洗浄水が図８に示す実線のように噴射口７７から噴出方向７７ａに噴射される。同様に、ビデ洗浄位置Ｂでの洗浄ノズル７６では、洗浄水が図８に示す二点差線のように噴射口７７-1から噴出方向７７-1ａに沿って噴射される。
【００５０】
次に、本発明の実施の形態２の人体局部洗浄装置の動作について説明する。
【００５１】
図８において、お尻洗浄の場合、使用者は回転ダイヤル２１をその位置で左方向に回転させると、実施の形態１のお尻洗浄時と同様の作用で洗浄が開始される。
【００５２】
次に、ビデ洗浄時の場合は、使用者が回転ダイヤル２１を回動して握った状態で前方に移動させると、前述の実施の形態１のビデ洗浄と同様に給水制御弁３０は、所定の位置に前進移動する。このとき給水制御ボックス２０の側面に設けられたラック１０１が直線運動し、連結部材８０の直線軸１０３に設けられたピニオン１０２を回転させ、更に、直線軸１０２の反対側にあるピニオン１０４も同量だけ回転することになる。このために、ピニオン１０４と噛み合っているラック２２０が前進移動し、シリンダ７２は所定距離だけ前進することになる。このようにして使用者は、回転ダイヤル２１を所定距離だけ前方に移動することで、容易にお尻洗浄とビデ洗浄を選択して用いることができる。
【００５３】
上記実施の形態１及び２では、便器１に取り付けられて人体局部の洗浄に使用する人体局部洗浄装置２において、便器１の上面後部に取り付けられ人体局部洗浄に要する機器収容部１０の一部となるベース部材１１と、ベース部材１１と共に機器収容部１０を構成するベース部材１１の上方を囲う上部カバー１２と、機器収容部１０近傍で軸支され、機器収容部１０の前方で回動自在に開閉される便座４及び便蓋３と、ベース部材１１に対して所定範囲に移動可能に取り付けられ、洗浄水の噴射方向が略お尻洗浄位置Ａと略ビデ洗浄位置Ｂに設定自在とした人体局部を洗浄する洗浄ノズル７６を有する洗浄ノズルユニット７０と、洗浄ノズルユニット７０に供給する洗浄水を供給制御すると共に、ベース部材１１に対して所定範囲の移動を自在に取り付けた給水制御弁３０と、給水制御弁３０の所定範囲の移動に連動して、洗浄ノズル７６を所定範囲に移動させる連結部材８０を具備するものである。
【００５４】
したがって、従来使用されていた操作スイッチ５ａ，５ｂ等の電気的な給水制御弁や電気的操作スイッチ等が不要となり、そのため関連する電気制御回路や電源回路等も不要になり安価な人体局部洗浄装置２を提供できる。また、複雑な制御弁や電気回路を使用する必要がないので、人体局部洗浄装置２としての部品点数も少なく製品の故障確立が小さくなり、信頼性も高くなる。そして、お尻洗浄とビデ洗浄の選択を、洗浄操作に必要な給水制御弁に連動させて、洗浄ノズル７６に供給する洗浄水を制御するものであるから、待機動作や待機時間がほとんどなく確実に選択操作することができる。即ち、お尻洗浄とビデ洗浄の選択を、洗浄操作に必要な給水制御弁３０の二一ドル３６を回転させる回転ダイヤル２１を移動させる動きで直接的に行っているので、待機動作や待機時間がほとんどなく確実に選択操作することができる。
【００５５】
このように、上記実施の形態１及び２では、回転ダイヤル２１のみの回転及び移動を行うことにより、洗浄ノズル７６の先端部の噴射口７７から噴出方向７７ａまたは噴出方向７７ｂに添って洗浄水が噴出し、お尻洗浄位置Ａまたはビデ洗浄位置Ｂに洗浄水を噴射するものであり、回転ダイヤル２１のみの回転及び移動制御を行うものである。したがって、給水制御ボックス２０と給水制御弁３０は一体になっているから、回転ダイヤル２１のみの回転及び移動で制御が可能となり、操作が簡単であり、かつ、洗浄制御に使用する備品点数を少なくすることができる。更に、複雑な制御弁や電気回路を使用する必要がないので、人体局部洗浄装置としての部品点数も少なく製品の故障確立が小さくなり、信頼性も高くなる。
【００５６】
また、上記実施の形態１及び２の人体局部洗浄装置２は、ホテルや浴室、シャワールーム等の施設内のトイレに施設する場合、ホテルの浴室内のトイレに、温水が室内まで来ているときには、人体局部洗浄装置自体に湯沸かし器の機能を付与することなく使用できる。それによって、取り扱い難くし、かつ、製品が高価になるという要因を排除できる。
【産業上の利用可能性】
【００５７】
上記実施の形態１及び２の給水制御ボックス２０と給水制御弁３０は、一体になって、回転ダイヤル２１の回転及び移動で制御が可能となるものであるが、両者の動きを分離させ、回転ダイヤル２１のみの回転、給水制御ボックス２０の前後方向の制御を分離することができる。
【００５８】
この人体局部洗浄装置は、便器１の上面後部に取り付けられ人体局部洗浄に要する機器収容部１０の一部となるベース部材１１と、ベース部材１１と共に機器収容部１０を構成するベース部材１１の上方を囲う上部カバー１２と、機器収容部１０の前方に装着された便座４及び便蓋３と、先端付近が略お尻洗浄位置Ａと略ビデ洗浄位置Ｂに設定し、ベース部材１１に対して所定範囲に移動可能に取り付けられた人体局部を洗浄する洗浄ノズル７６を有する洗浄ノズルユニット７０と、ベース部材１１に対して取り付けられた洗浄ノズルユニット７０に供給する洗浄水を供給制御する給水制御弁３０と、洗浄ノズル７６を所定範囲に移動させる手段とを具備する構成とすることができる。
【００５９】
したがって、従来使用されていた電気的な給水制御弁や電気的操作スイッチ等が不要となり、そのため関連する電気制御回路や電源回路等も不要になり安価な人体局部洗浄装置を提供することができる。また、複雑な制御弁や電気回路を使用する必要がないので、人体局部洗浄装置としての部品点数も少なく製品の故障確立が小さくなり、信頼性も高くなる。そして、お尻洗浄とビデ洗浄の選択を、洗浄操作に必要な給水制御弁に連動させて、前記洗浄ノズルに供給する洗浄水を制御するものであるから、待機動作や待機時間がほとんどなく確実に選択操作することができる。
【図面の簡単な説明】
【００６０】
【図１】図１は本発明の実施の形態１の人体局部洗浄装置を取り付けたトイレ装置の側面図である。
【図２】図２は同じく図１の平面図である。
【図３】図３は本発明の実施の形態１の人体局部洗浄装置の側面図である。
【図４】図４は同じく図３の平面図である。
【図５】図５は本発明の実施の形態１の人体局部洗浄装置のお尻洗浄状態を示す説明図である。
【図６】図６は本発明の実施の形態１の人体局部洗浄装置のビデ洗浄状態を示す説明図である。
【図７】図７は本発明の実施の形態１の人体局部洗浄装置で使用する給水制御弁の内部構造を示した説明図である。
【図８】図８は本発明の実施の形態２の人体局部洗浄装置のお尻洗浄状態及びビデ洗浄状態を示す説明図である。
【図９】図９は従来の人体局部洗浄装置を用いたトイレを示す斜視図である。
【符号の説明】
【００６１】
１    便器
２    人体局部洗浄装置
１０    機器収容部
１１    ベース部材
２０    給水制御ボックス
２１    回転ダイヤル
３０    給水制御弁
７０    洗浄ノズルユニット
７６    洗浄ノズル
７７    噴射口
８０    連結部材
【図１】
2006249671.tif 000003
【図２】
2006249671.tif 000004
【図３】
2006249671.tif 000005
【図４】
2006249671.tif 000006
【図５】
2006249671.tif 000007
【図６】
2006249671.tif 000008
【図７】
2006249671.tif 000009
【図８】
2006249671.tif 000010
【図９】
2006249671.tif 000011